(57)【要約】      （修正有）【課題】皮膚の深層に対してマッサージを行なえ、血液循環促進の効果を達成できるバストアップマッサージャーを提供する。【解決手段】ケーシング１０と、ケーシング内に設けられる駆動装置２０と、ケーシングに設けられると共に、駆動装置に接続されて回転し、乳房を被覆するのに用いられる凹曲面を具え、一側に、非対称の傾斜形態が形成され、凹曲面の表面に、回転する複数のマッサージ部材５０が設けられたマッサージディスク７０と、を包含する。マッサージ部材は球状で、底部にはスプリング５１が設けられる。ブラジャー等の装着アクセサリに取り付けられて、電源投入時に、マッサージ部材が時計回り或いは逆時計周りの回転を行なうと同時に、上下の起伏動作を発生し、乳房に対して、揉ねつと手のひらで押しもみする効果を達成する。【選択図】図２
0003194303.tif 000002
【実用新案登録請求の範囲】
【請求項１】
バストアップマッサージャーにおいて、
ケーシングと、
該ケーシング内に設けられる駆動装置と、
マッサージディスクであって、動作可能に該ケーシングに設けられると共に、該駆動装置に接続されて該駆動装置に駆動されて回転し、人の乳房を被覆するのに用いられる凹曲面を具え、該マッサージディスクの該凹曲面を具えた一側に、非対称の傾斜形態が形成され、該凹曲面の表面に、該マッサージディスクに対して回転する複数のマッサージ部材が設けられた上記マッサージディスクと、
を包含することを特徴とする、バストアップマッサージャー。
【請求項２】
請求項１記載のバストアップマッサージャーにおいて、該マッサージ部材は球状とされることを特徴とする、バストアップマッサージャー。
【請求項３】
請求項１記載のバストアップマッサージャーにおいて、該マッサージ部材の底部にはスプリングが設けられたことを特徴とする、バストアップマッサージャー。
【請求項４】
請求項１記載のバストアップマッサージャーにおいて、該マッサージディスクの内部に発熱素子及び回路が設置されたことを特徴とする、バストアップマッサージャー。
【請求項５】
バストアップマッサージャーにおいて、
ケーシングと、
該ケーシング内に設けられる駆動装置と、
マッサージディスクであって、動作可能に該ケーシングに設けられると共に、該駆動装置に接続されて該駆動装置に駆動されて回転し、人の乳房を被覆するのに用いられる凹曲面を具え、該マッサージディスクの該凹曲面を具えた一側に、非対称の傾斜形態が形成され、該凹曲面の表面に、複数の突出物が設けられ、該突出物は円弧形状とされ、該突出物はそれは一端より他端に向けて延伸されて幅が漸次縮小するか漸次拡大する円弧面とされる、上記マッサージディスクと、
を包含することを特徴とする、バストアップマッサージャー。
【請求項６】
請求項５記載のバストアップマッサージャーにおいて、該突出物は二つとされると共に対称位置に、相反する方向に設置されることを特徴とする、バストアップマッサージャー。
【請求項７】
請求項１或いは５のいずれか記載のバストアップマッサージャーにおいて、該バストアップマッサージャーは装着アクセサリに取り付けられることを特徴とする、バストアップマッサージャー。
【請求項８】
請求項７記載のバストアップマッサージャーにおいて、該装着アクセサリはブラジャーとされることを特徴とする、バストアップマッサージャー。
【考案の詳細な説明】
【技術分野】
【０００１】
本発明は一種のバストアップマッサージャーに係り、特に一種の、女性の乳房に対してマッサージとヒートパッド機能を有するマッサージャーに関する。
【背景技術】
【０００２】
バスト（乳房）は女性の象徴とされており、且つまた、一般的に女性の外観上の美の評価基準の一つとされてきた。欧米では普遍的に、バストが豊かなほうが魅力的とされ、時代の変化に伴い、台湾を含む世界の多くの国で、審美の観念が欧米化され、バストに対する観点上も同様である。
【０００３】
現在、医学上及び健康増進の観点から、胸部に対して局部マッサージを行なうことで、血液循環を助けると共に内部組織を刺激に反応させ、それによりバストアップ効果も得られ、さらには胸のむかつきなどの健康に対する心配を生じる症状の発生を防止できることが、多く報告されている。
【０００４】
しかし、伝統的に女性のバストに対するマッサージャーは、ほとんどが単一のモーター或いは低電圧低電流で乳房を刺激することで、局部或いはポイント的なマッサージ効果をシミュレートし、且つ通常は皮膚表面でマッサージを行ない、皮膚の深層に対してマッサージを行なえないのみならず、血液循環促進の効果を達成することは非常に難しく、ゆえに、使用者の信頼を獲得することはできなかった。
【考案の概要】
【考案が解決しようとする課題】
【０００５】
前述の周知のバストマッサージャーの既存の技術の不足点を鑑み、本考案は、一種の、新規性、進歩性及び産業上の利用価値等のパテント要件を具えたバストアップマッサージャーを設計することで、既存の技術の欠点を克服することを目指すものである。
【課題を解決するための手段】
【０００６】
上述の目的を達成するため、本考案が採用する技術手段は、マッサージャーにあって、非対称の傾斜形態のマッサージディスクを包含し、該マッサージディスクはバストを被覆するのに用いられる凹曲面を有し、該凹曲面に複数のマッサージ部材が設置され、駆動部材により該マッサージディスクを駆動し回転させるとき、このような非対称傾斜形態のマッサージディスクが回転中に波状の上下に起伏する立体動作を形成し、一般のマッサージャーの二次元平面の円周運動とは異なり、バストに対して、効果的な揉み、手のひらで押しの機能を達成する。
【０００７】
本考案はさらに、マッサージディスク内部に発熱素子及び回路、たとえば、電熱線、サーミスタ、バルブ等を設置してもよく、その発熱素子の回路が導通した後、その発生する光線がマッサージヘッドより滲み出る効果を発生し、全体の質感をアップし、その発生する熱エネルギーはマッサージ部材に伝導され、バストがマッサージディスクに接触するときに、ヒートパッドのような効果を感じられるようにする。
【０００８】
本考案の有効性を強調するため、本考案はさらに、マッサージ部材上に人体に対する効果が実証されているかまだ実証されていない物品、たとえば、チタン、ゲルマニウム、マグネット、ナノセラミック、遠赤外線セラミック等の材質の部材を設置し、身体がエネルギーを発生するのを助ける。
【０００９】
本考案はマッサージディスク上に設置するマッサージ部材は、一種の、マッサージディスクに対して回転する球体（たとえばガラスビーズ）とすることができるほか、マッサージディスクに固定された突出物としてもよく、該突出物は円弧形状とされ、それは一端より他端に向けて延伸されて逐次幅が縮小されるか逐次幅が拡大された曲面とされる。この固定された突出物は最も好ましくは二つが対称位置に、しかし反対の方向に設置され、それによりマッサージディスクが回転するときに、該突出物がバストに対して手もみシミュレートの効果を発生する。
【考案の効果】
【００１０】
本考案の特徴は、一種の、機械伝動及び回路コントロールにより、一種の、マルチレイヤーのマッサージアクションが行なえ、及び、深層のマッサージを達成できるバストマッサージャーであって、使用者がマッサージを行なうときに、二種類以上のマッサージ動作を感じることができ、また確実に血液循環を促進して、バストの発育を促進し、美しいバストを形成し、並びに乳房組織のしこりを初期検出して揉んで軟化させ、多方面での保険効果を有するマッサージャーを提供することにある。
【図面の簡単な説明】
【００１１】
【図１】本考案のバストアップマッサージャーの第１実施例の外観図である。
【図１Ａ】本考案の図１に示される実施例のケーシングの底部にハンドルを設置した外観図である。
【図２】本考案のバストアップマッサージャーの第１実施例の外観分解図である。
【図２Ａ】本考案のマッサージディスクの別の実施例の立体図である。
【図２Ｂ】本考案のマッサージディスクのさらに別の実施例の立体図である。
【図３】本考案のバストアップマッサージャーの第１実施例の側面分解図である。
【図４】本考案のバストアップマッサージャーの第１実施例の側面断面図である。
【図５】本考案のバストアップマッサージャーの第２実施例の外観図である。
【図６】本考案のバストアップマッサージャーの第２実施例の外観分解図である。
【図７】本考案のバストアップマッサージャーの第２実施例の側面分解図である。
【図８】本考案のバストアップマッサージャーの第２実施例の側面断面図である。
【図９】本考案のバストアップマッサージャーを装着アクセサリに取り付けた実施例の表示図である。
【図１０】装着アクセサリに取り付けた本考案のバストアップマッサージャーの使用表示図である。
【考案を実施するための形態】
【００１２】
以下に本考案の技術内容、構造特徴、達成する目的及び作用効果について、以下に例を挙げ並びに図面を組み合わせて詳細に説明する。ここで使用する図面の主旨は、示意と明細書の説明補助に用いることで、必ずしも本考案の実施後の実際の比例と正確な配置ではなく、ゆえに、添付の図面の比例と配置関係は、本考案の実際の実施上の権利範囲を解読、局限するためのものではない。
【００１３】
本考案の長所、特徴及び達成する技術方法は、例示性の実施例及び添付の図面を参照してより詳細に記述されることで、より理解を容易とし、且つ本考案は異なる形式で実現可能であり、ゆえに、ここで記述される実施例に局限されると理解されるべきではなく、反対に、本技術領域における通常の知識を有する者に対し、その提供する実施例は、この記載を明確とし、全面的且つ完全に本考案の範疇を伝達し、且つ本考案はその添付の実用新案登録請求の範囲によってのみ定義される。
【００１４】
また、後文で使用される全ての技術用語と専有名詞は、実質上、本考案の技術の属する領域の者が一般に理解する意思と同じであり、たとえば、一般に使用される辞典の定義するこれらの技術用語は関係領域の内容と一致する意思を有すると理解されるべきであり、後文により明確に定義されるわけではなく、過度に理想化されるか或いは過度の正式な意思により理解されるべきでないことを、予め申し述べる。
【００１５】
図１から図４に示されるように、本考案は一種のバストアップマッサージャーを提供し、その好ましい実施方式は、ケーシング１０、駆動装置２０、伝動ギア装置３０、伝動ベース４０、複数のマッサージ部材５０、複数のランプ装置６０及びマッサージディスク７０を包含する。
【００１６】
前述のケーシング１０は下ケーシング１１及び上ケーシング１２を包含し、そのうち、下ケーシング１１は上端に開口を具え且つ内部に第１収容空間を具えたケーシングである。該上ケーシング１２は下ケーシング１１の上方に対応して固定され、且つ該上ケーシング１２は上端に開口を具え、且つ内部に第２収容空間を具えたケーシングであり、該上ケーシング１２の底壁を貫通するように、貫通孔１２１が設けられている。
【００１７】
前述の駆動装置２０は下ケーシング１１の第１収容空間中に設置され、該駆動装置２０は駆動モータ２１と伝動スクリュー２２を包含し、そのうち駆動モータ２１の駆動ロッド２１１は一側に向けて延伸されている。伝動スクリュー２２は該駆動ロッド２１１に嵌合される。
【００１８】
前述の伝動ギア装置３０は該貫通孔１２１内に固定され、且つその下端は該第１収容空間へと通され、並びに下端に第１伝動ネジ部３１が設けられ、それは該伝動スクリュー２２に対応してそれと噛み合い、且つ伝動スクリュー２２の駆動を受けて回転し、且つ伝動ギア装置３０の上端は上ケーシング１２の第２収容空間へと通され、並びに上端に第２伝動ネジ部３２が設けられている。
【００１９】
前述の伝動ベース４０は該第２収容空間中に設置され、該伝動ベース４０の底部には少なくとも一つの伝動ギア４１（図４に示されるとおり）があり、該伝動ギア４１は第２伝動ネジ部３２に噛み合い、且つ該第２伝動ネジ部３２の駆動を受けて、伝動ベース４０を駆動し回転させる。該伝動ベース４０は、盤状構造とされてもよい。そのうち、該伝動ベース４０の上側には少なくとも一つの固定孔４２と少なくとも一つのランプボード４３を具えている。
【００２０】
前述のマッサージ部材５０は、該固定孔４２中に設けられ、球状とされるか、及び又はガラスビーズとされ、該マッサージ部材５０の底部に該固定孔４２との間に、スプリング５１が設けられ、これにより該マッサージ部材５０に、下向きに押圧された後の回復弾性を付与している。マッサージの有効性を強調するため、マッサージビーズ上に、人体に対する効果が実証されているか未だ実証されていない物品、たとえば、チタン、ゲルマニウム、マグネット、ナノセラミック、遠赤外線セラミック等の材質の部材を設置することで、身体がエネルギーを発生するのを補助してもよい。
【００２１】
前述のランプ装置６０は、該ランプボード４３の上に設置され、それはＬＥＤランプとされ得る。
【００２２】
前述のマッサージディスク７０は、上ケーシング１２の第２収容空間を被覆するように設置される盤体であり、図３に示されるように、該マッサージディスク７０の乳房を被覆する一面（上面）は非対称の傾斜形態に設計され、且つ該マッサージディスク７０の上面は凹んだ曲面とされ、及び又は弾性材質とされてもよく、及び又は、透明或いは半透明の材質とされてもよい。該マッサージディスク７０の底部は該伝動ベース４０に固定され、さらに伝動ベース４０に伴い回転し、且つマッサージディスク７０上に該マッサージ部材５０と同数のマッサージ部材取り付け孔７１が設けられ、該マッサージ部材取り付け孔７１は対応するマッサージ部材５０に嵌合され、並びに該マッサージ部材５０の局部を該マッサージ部材取り付け孔７１より露出させる。
【００２３】
図２Ａに示されるように、本考案の第１実施例において、また、もう一種の形式のマッサージディスク７０’を前述のマッサージディスク７０の代りに採用してもよい。このマッサージディスク７０’の構造もまた、上ケーシング１２の第２収容空間上を被覆する盤体とされ、該マッサージディスク７０’の乳房を被覆する一面（上面）は、非対称の傾斜形態を呈するよう設計され、且つ該マッサージディスク７０’の上面は凹んだ曲面とされ、及び又は弾性材質とされ得て、及び又は透明或いは半透明材質とされ、該マッサージディスク７０’の凹曲面の表面上に、二つの、対称位置にあるが異なる方向の突出物７０１が一体成形され、該突出物７０１の好ましい形態は、円弧形状とされ、並びに一端より他端に向けて延伸されて漸次幅を縮小するか拡大する円弧面とされ、すなわち、二つの突出物７０１はマッサージディスク７０’上で太極パターンに類似の形態を形成する。
【００２４】
図２Ｂに示されるように、本考案の第１実施例中、もう一種の形式のマッサージディスク７０”の構造を前述のマッサージディスク７０の代わりに採用してもよい。上述のマッサージディスク７０”の構造もまた、上ケーシング１２の第２収容空間上を被覆する盤体とされ、該マッサージディスク７０”の乳房を被覆するのに用いられる一面（上面）は非対称の傾斜形態設計を呈し、且つ該マッサージディスク７０”の上面は凹んだ曲面を呈し、及び又は弾性材質とされ、及び又は透明或いは半透明材質とされ、該マッサージディスク７０”の底部は該伝動ベース４０に固定され、これにより伝動ベース４０に伴い回転し、且つマッサージディスク７０”の凹曲面表面中央に別に小マッサージディスク７０”Ａが設置され、小マッサージディスク７０”Ａはケーシング内部に設けられた伝動装置により駆動されて回転し、またすなわち、マッサージディスク７０”と小マッサージディスク７０”Ａは同期して逆方向に回転する。
【００２５】
本考案を使用するときは、直接マッサージディスク７０、７０’、或いは７０”で乳房を被覆し、さらに電源を投入して駆動装置２０を駆動し、駆動装置２０によりマッサージディスク７０、７０’、或いは７０”を駆動し回転させるとき、このような非対称の傾斜形態のマッサージディスクは回転運動中に波状に上下に起伏する立体動作を形成することにより、さらに、マッサージ部材５０或いは突出物７０１或いは回転ビーズ７３が乳房に対して揉ねつと手のひらで押し揉みするような機能を実行する。
【００２６】
本考案はさらに、マッサージディスク内部に発熱素子及び回路を設置してもよく、たとえば、電熱線、サーミスタ、バルブ等（図示せず）を設置し、発熱素子の回路が導通した後に、その発生する光線が、マッサージヘッドより染みだす効果を発生し、マッサージャーの全体の質感を高め、その発生する熱エネルギーはすなわちマッサージ部材５０或いは突出物７０１に伝導され、乳房がマッサージディスクに接触するときに、ヒートパッドと同様の効果を感じられるようにする。
【００２７】
本考案はさらにマッサージ部材上に、人体に対する効果が実証されているか未だ実証されていない物品、たとえば、チタン、ゲルマニウム、マグネット、ナノセラミック、遠赤外線セラミック等の材質の部材を設置し、身体がエネルギーを発生するのを助ける。
【００２８】
図５から図８を参照されたい。それは本考案のバストアップマッサージャーの第２実施例とされ、この実施例は、ケーシング１０Ａ、駆動装置２０Ａ、伝動ギア装置３０Ａ、伝動ベース４０Ａ、複数のマッサージ部材５０Ａ、複数のランプ装置６０Ａ及びマッサージディスク７０Ａを包含する。
【００２９】
前述のケーシング１０Ａは下ケーシング１１Ａ及び上ケーシング１２Ａを包含し、そのうち、下ケーシング１１Ａは上端に開口を具え且つ内部に第１収容空間を具えたケーシングである。該上ケーシング１２Ａは下ケーシング１１Ａの上方に対応して固定され、且つ該上ケーシング１２Ａは上端に開口を具え、且つ内部に第２収容空間を具えたケーシングである。
【００３０】
前述の駆動装置２０Ａは下ケーシング１１Ａの第１収容空間中に設置され、該駆動装置２０Ａは駆動モータ２１Ａと伝動スクリュー２２Ａを包含し、そのうち駆動モータ２１Ａの駆動ロッドは一側に向けて延伸されている。伝動スクリュー２２Ａは該駆動ロッドに嵌合される。
【００３１】
前述の伝動ギア装置３０Ａは下端に第１伝動ネジ部３１Ａが設けられ、それは該伝動スクリュー２２Ａに対応してそれと噛み合い、且つ伝動スクリュー２２Ａの駆動を受けて回転し、且つ伝動ギア装置３０Ａの上端には第２伝動ネジ部３２Ａが設けられている。
【００３２】
前述の伝動ベース４０Ａは下ケーシング１１Ａの第１収容空間と上ケーシング１２Ａの第２収容空間の間に設置され、その底部には一つの伝動ギア４１Ａを具え、該伝動ギア４１Ａは該第２伝動ネジ部３２Ａと噛み合い、且つ第２伝動ネジ部３２の駆動を受けて伝動ベース４０Ａを駆動し回転させ、該伝動ベース４０Ａは或いは盤状構造とされ得る。そのうち、該伝動ベース４０Ａの上側には少なくとも一つの固定孔４２Ａ、少なくとも一つのランプボード４３Ａ及び弾性押圧部材用孔４４を具えている。
【００３３】
前述のマッサージ部材５０Ａは、該固定孔４２Ａ中に設けられ、それは球状とされるか、及び又はガラスビーズとされる。先の実施例と同様に、マッサージ部材５０Ａ上に、人体に対する効果が実証されているか未だ実証されていない物品、たとえば、チタン、ゲルマニウム、マグネット、ナノセラミック、遠赤外線セラミック等の材質の部材を設置することで、身体がエネルギーを発生するのを補助してもよい。
【００３４】
前述のランプ装置６０Ａは、該ランプボード４３Ａの上に設置され、それはＬＥＤランプとされ得る。
【００３５】
前述のマッサージディスク７０Ａは、上ケーシング１２Ａの第２収容空間を被覆するように設置される盤体であり、且つ該マッサージディスク７０Ａの、乳房を被覆する一面（すなわち、上面）は凹んだ曲面とされ、及び又は弾性材質とされ、及び又は半透明材質とされ、該マッサージディスク７０Ａの底部は該伝動ベース４０Ａに固定され、これにより該伝動ベース４０Ａに伴い回転し、且つ該マッサージディスク７０Ａ上には該マッサージ部材５０Ａと同数のマッサージ部材取り付け孔７１Ａが設けられ、該マッサージ部材取り付け孔７１Ａは対応するマッサージ部材５０Ａに嵌合され、並びにマッサージ部材５０Ａの局部を上方より突出させる。このほか、該マッサージディスク７０Ａ上にさらに、弾性押圧部材口７２Ａが設けられ、それは該弾性押圧部材用孔４４Ａにアラインする。
【００３６】
該弾性押圧部材用孔４４Ａ内にさらに弾性押圧部材８０Ａが設けられ（図５と図８に示されるとおり）、それは上面が円弧状を呈するブロック体とされてもよく、且つその上面は該弾性押圧部材口７２Ａをとおり該弾性押圧部材口７２Ａの上方より露出し、且つ該弾性押圧部材８０Ａと弾性押圧部材用孔４４Ａの間にはスプリング８１Ａが設けられ、これによりさらに弾性押圧マッサージの機能を提供できる。
【００３７】
或いは、該第２実施例中、図２Ａに示されるマッサージディスク７０’をマッサージディスク７０Ａの代りに採用してもよい。
【００３８】
同様に、該第２実施例において、さらにマッサージディスク内部に発熱素子及び回路、たとえば電熱線、サーミスタ、バルブ等（図示せず）を設置してもよく、発熱素子の回路が導通した後に、その発生する光線が、マッサージヘッドより染みだす効果を発生し、マッサージャーの全体の質感を高め、その発生する熱エネルギーはすなわちマッサージ部材或いは突出物に伝導され、乳房がマッサージディスクに接触するときに、ヒートパッドと同様の効果を感じられるようにする。
【００３９】
前述の二種類の実施例から分かるように、本考案のバストアップマッサージャーは設計上、アイデアが凝らされ、それは女性の使用に供され、マッサージディスク７０、７０Ａ、７０’、或いは７０”で乳房を被覆し、さらに上下に波状に起伏し回転する形式のマッサージ動作を提供し、前述のマッサージ部材５０、５０Ａ或いは突出物７０１或いは回転ビーズ７３等の部品が組み合わされ、乳房に対してバストアップのためのマッサージを行ない、これは周知の技術の及ばないところでありい、ゆえに効果がアップされている。
【００４０】
図９は本考案のバストアップマッサージャーを装着アクセサリ８０に取り付けた表示図である。この装着アクセサリ８０は、女性のブラジャーの態様とされてもよく、また帯状の部材とされてもよく、さらには女性の胸部に装着するのに適合するのに適した任意の形態とされ得る。ただし、該装着アクセサリ８０の中間に、対称に、二つの前述の本考案のバストアップマッサージャーを設置し、且つ装着アクセサリ８０の相反する面に、それぞれ第１固定部材８１と第２固定部材８２を設置し、これにより女性がこの装着アクセサリ８０を胸部周囲にめぐらせた後に、装着アクセサリ８０の両端を人体背部にまわし、さらに第１固定部材８１と第２固定部材８２を相互に固定して装着を完成する（図１０に示されるとおり）。上述の第１固定部材８１と第２固定部材８２は面ファスナーとされても、スナップとされても、或いはその他の二つの物品を連接固定することができる装置とされる。
【００４１】
上述の装着アクセサリ８０の適当な位置に、さらに電源スイッチ８３と調製ボタン８４を設置してもよく、使用者は電源スイッチ８３を走査することにより、駆動モータの電源のオンオフをコントロールし、調製ボタン８４の操作により、モータの動作速度をコントロールして、使用者がマッサージするときの需要に対応できるようにしてもよい。
【００４２】
さらに、図１Ａを参照されたい。それは、本考案の、図１に示される実施例のケーシング１０の底部にハンドル９を設置したものを示し、該ハンドル９は湾曲する形状とされ、或いは、人体工学により使用者が片手で保持して操作するのに適した形状とされ、使用者が片手でハンドル９を保持して、自身の乳房に対してマッサージを行なえる。
【００４３】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【００４４】
総合すると、本考案は従来の技術を突破し、確実にその達成しようとする作用効果を達成し、且つそれは本技術領域における通常の知識を有する者が簡単に思いつけるものではなく、進歩性、実用性を有しており、実用新案登録の要件を満たし、ゆえに、ここに出願する次第です。
【符号の説明】
【００４５】
９  ハンドル
１０、１０Ａ  ケーシング
１１、１１Ａ  下ケーシング
１２、１２Ａ  上ケーシング
１２１  貫通孔
２０、２０Ａ  駆動装置
２１、２１Ａ  駆動モータ
２１１  駆動ロッド
２２、２２Ａ  伝動スクリュー
３０、３０Ａ  伝動ギア装置
３１、３１Ａ  第１伝動ネジ部
３２、３２Ａ  第２伝動ネジ部
４０、４０Ａ  伝動ベース
４１、４１Ａ  伝動ギア
４２、４２Ａ  固定孔
４３、４３Ａ  ランプボード
４４、４４Ａ  弾性押圧部材用孔
５０、５０Ａ  マッサージ部材
５１  スプリング
６０、６０Ａ  ランプ装置
７０、７０Ａ、７０’、７０”  マッサージディスク
７０１  突出物
７１、７１Ａ  マッサージ部材取り付け孔
７２Ａ  弾性押圧部材口
７３  回転ビーズ
８０Ａ  弾性押圧部材
８１Ａ  スプリング
８１  第１固定部材
８２  第２固定部材
８３  電源スイッチ
８４  調整ボタン
【図１】
0003194303.tif 000003
【図１Ａ】
0003194303.tif 000004
【図２】
0003194303.tif 000005
【図２Ａ】
0003194303.tif 000006
【図２Ｂ】
0003194303.tif 000007
【図３】
0003194303.tif 000008
【図４】
0003194303.tif 000009
【図５】
0003194303.tif 000010
【図６】
0003194303.tif 000011
【図７】
0003194303.tif 000012
【図８】
0003194303.tif 000013
【図９】
0003194303.tif 000014
【図１０】
0003194303.tif 000015